(57)【要約】【課題】  セダム類に代表される植物の開花期を長期化させることが可能な植生方法の提供を主たる目的とし、このことにより、緑化状態を継続的に維持させること、さらには、観賞価値を長期間にわたって維持させることを目的とする。【解決手段】  植物にサイトカイニン溶液を接触させる工程を包含する植物の植生方法。【選択図】      なし【特許請求の範囲】
【請求項１】
植物にサイトカイニン溶液を接触させる工程を包含することを特徴とする植物の植生方法。
【請求項２】
前記サイトカイニン溶液におけるサイトカイニンの濃度が０．０５〜１００ｐｐｍであることを特徴とする請求項１に記載の植物の植生方法。
【請求項３】
前記サイトカイニン溶液の接触工程を、植物の花茎の開花前に行うことを特徴とする請求項１又は２に記載の植物の植生方法。
【請求項４】
前記サイトカイニン溶液の接触工程が、噴霧、塗布、及び浸漬からなる群より選ばれる少なくとも１つにより行われることを特徴とする請求項１〜３のいずれかに記載の植物の植生方法。
【請求項５】
植物にジベレリン溶液を接触させる工程を包含することを特徴とする請求項１〜４のいずれかに記載の植物の植生方法。
【請求項６】
前記ジベレリン溶液におけるジベレリンの濃度が１０〜５００ｐｐｍであることを特徴とする請求項５に記載の植物の植生方法。
【請求項７】
前記ジベレリン溶液の接触工程が、噴霧、塗布、及び浸漬からなる群より選ばれる少なくとも１つにより行われることを特徴とする請求項５又は６に記載の植物の植生方法。
【請求項８】
前記ジベレリン溶液の接触工程を、前記サイトカイニン溶液の接触工程と同時に行うことを特徴とする請求項５〜７のいずれかに記載の植物の植生方法。
【請求項９】
請求項１〜８のいずれか記載の植生方法を用いることを特徴とする緑化方法。
【発明の詳細な説明】
【技術分野】
【０００１】
本発明は、植物の植生方法に関する。
【背景技術】
【０００２】
従来から、メキシコマンネングサ等のセダム類は、過酷な環境下でも耐久性があるため、緑化等にしばしば用いられている。しかしながら、セダム類は、生長が早く、数週間の開花期を過ぎた後は、花茎が短期間で枯死してしまうため、他の葉茎部が生長するまでのしばらくの間は、枯れた状態となって緑化状態が継続的に維持されないという問題があった。また、花茎が枯死しないものであっても、葉茎部のみの景観となり、観賞価値が著しく低下してしまうという問題があった。
【０００３】
そこで、セダム類の根茎部分に光がほとんど当たらないようにして、セダム類の生育を抑制することにより、長期間にわたって緑化を維持させることが提案されている。（特許文献１参照）
【特許文献１】特開２００３−３２５０３６号公報
【０００４】
しかしながら、上記で提案されている植生方法は、物理的にセダム類の生育を抑制するものであるため、せいぜい数週間、緑化期を延期するにとどまり、緑化状態を継続的に維持できるものではなかった。また、上記で提案されている植生方法は、主に、壁面に適用されるものであり、建築物の屋上緑化など、様々な態様に適用するのは困難であった。
【発明の開示】
【発明が解決しようとする課題】
【０００５】
本発明は、かかる事情に鑑みてなされたものであり、どのような植生態様においても、セダム類に代表される植物の開花期を長期化させることが可能な植生方法の提供を主たる目的とし、このことにより、緑化状態を継続的に維持させること、さらには、観賞価値を長期間にわたって維持させることを目的とする。
【課題を解決するための手段】
【０００６】
上記課題を解決するため、本発明は、
（１）植物にサイトカイニン溶液を接触させる工程を包含することを特徴とする植物の植生方法、
（２）前記サイトカイニン溶液におけるサイトカイニンの濃度が０．０５〜１００ｐｐｍであることを特徴とする前記（１）に記載の植物の植生方法、
（３）前記サイトカイニン溶液の接触工程を、植物の花茎の開花前に行うことを特徴とする前記（１）又は（２）に記載の植物の植生方法、
（４）前記サイトカイニン溶液の接触工程が、噴霧、塗布、及び浸漬からなる群より選ばれる少なくとも１つにより行われることを特徴とする前記（１）〜（３）のいずれかに記載の植物の植生方法、
（５）植物にジベレリン溶液を接触させる工程を包含することを特徴とする前記（１）〜（４）のいずれかに記載の植物の植生方法、
（６）前記ジベレリン溶液におけるジベレリンの濃度が１０〜５００ｐｐｍであることを特徴とする前記（５）に記載の植物の植生方法、
（７）前記ジベレリン溶液の接触工程が、噴霧、塗布、及び浸漬からなる群より選ばれる少なくとも１つにより行われることを特徴とする前記（５）又は（６）に記載の植物の植生方法、
（８）前記ジベレリン溶液の接触工程を、前記サイトカイニン溶液の接触工程と同時に行うことを特徴とする前記（５）〜（７）のいずれかに記載の植物の植生方法、
（９）前記（１）〜（８）のいずれか記載の植生方法を用いることを特徴とする緑化方法、
に関する。
【発明の効果】
【０００７】
本発明の植生方法によれば、どのような植生態様においても、植物の開花期を長期化させることが可能であり、このことにより、緑化状態を継続的に維持させ、さらには、観賞価値を長期間にわたって維持させることが可能である。
【発明を実施するための最良の形態】
【０００８】
本発明の植生方法は、植物にサイトカイニン溶液を接触させる工程を含有することに大きな特徴がある。
【０００９】
サイトカイニンとしては、例えば、ゼアチン、イソペンテニルアデニン等の天然サイトカイニン；ベンジルアデニン、カイネチン等のアデニン系合成サイトカイニン；ホルクロルフェニュロン、チジアズロン等のフェニル尿素系合成サイトカイニン等が挙げられ、これらを単独で又は２種以上混合して用いることができる。
【００１０】
サイトカイニン溶液の溶媒としては、例えば、水道水、蒸留水、イオン交換水等の水；エタノール等のアルコール等が挙げられ、これらを単独で又は２種以上を混合して使用することができる。当該濃度としては、接触させる植物の種類、生育時期や用いるサイトカイニンの種類等により多少異なるが、花茎における側芽の生長を促進し、かつ、この側芽の開花を促進させて、開花期を長期化させる観点、及び、経済性の観点から、好ましくは、０．０５〜１００ｐｐｍであり、より好ましくは０．１〜５０ｐｐｍである。
【００１１】
サイトカイニン溶液の調製は、例えば、サイトカイニンと溶媒とを混合することにより行うことができる。その際、所望によりその他の成分を添加してもよい。例えば、植物への付着性を高める観点等から、植物にとって安全である展着剤等を添加してもよい。
【００１２】
サイトカイニン溶液を接触させる植物は、メキシコマンネングサ、サカサマンネングサ、ツルマンネングサ、コーラルカーペット等のベンケイソウ科セダム属；ベンケイソウ科オロスタキス属；ベンケイソウ科クラッスラ属；ツルナ科デロスペルマ属；シソ科プレクトランサス属；スベリヒユ科タリナム属等のうち、花茎において、頂花の１回の開花のみで開花期が終了する植物であって、かつ、ＣＡＭ特性を有する植物が該当する。なお、本発明において「花茎」とは、頂花の存在する花枝をいう。
【００１３】
サイトカイニン溶液の接触工程は、花茎における側芽の生長を促進し、かつ、この側芽の開花を促進させて、開花期を長期化させる観点から、花茎の開花前までに行うのが好ましい。サイトカイニン溶液の接触回数は、接触させる植物の種類、サイトカイニン溶液の濃度等にもよるが、通常、１〜２回の接触で十分である。
【００１４】
本明細書において「植物にサイトカイニン溶液を接触させる」とは、例えば、サイトカイニン溶液を植物に対して、噴霧、塗布、又は、植物をサイトカイニン溶液に対し浸漬することをいうが、植物に対してサイトカイニン溶液を接触させ得る操作であれば特に限定されるものではない。なお、前記各接触の態様は単独であっても、いくつかの態様を組み合わせてもよいが、接触工程は、塗布、噴霧及び浸漬からなる群より選ばれる少なくとも１つにより行われるのが好ましい。具体的には、噴霧は、植物に対して、電動式噴霧器等を用いてサイトカイニン溶液をスプレーする態様等が挙げられ、塗布は、サイトカイニン溶液を含ませた刷毛等で塗り付ける態様等が挙げられ、浸漬は、サイトカイニン溶液を含ませた脱脂綿等を植物に巻き付ける態様等が挙げられる。
【００１５】
ここで、接触工程では、花茎における側芽の生長を促進し、かつ、この側芽の開花を促進させて、開花期を長期化させる観点から、サイトカイニン溶液を、少なくとも花茎の側芽の成長部に接触させることが好ましい。また、サイトカイニン溶液の接触工程を行った後、３〜４日間は、雨に晒されない状態にあることが好ましい。
【００１６】
なお、上述したように、植物にサイトカイニン溶液を接触させるのではなく、植物が栽培される土壌に、サイトカイニン溶液を投与して、植物が土壌中からサイトカイニン溶液を吸収する態様とすることもできる。また、土壌にサイトカイニン溶液を投与する工程と、上記接触工程とを組み合わせて行ってもよい。
【００１７】
本発明の植生方法は、上述したサイトカイニン溶液の接触工程に加え、植物の生長を促進させる観点から、植物にジベレリン溶液を接触させる工程を含有することが好ましい。すなわち、植物にサイトカイニン溶液を接触させることで、開花期を長期化させることができるが、植物の背丈が低くなる、茎の節間が詰まった状態になる等の形態変化が起こり、このサイトカイニンによる形態変化を、植物の生長を促進させることにより改善することができる。
【００１８】
ジベレリンとしては、ent-ジベレラン骨格を有する物質であれば特に限定されないが、優れた植物の生長促進効果を得る観点から、市販品では、カビ等に由来する粗精製品を用いるのが好ましい。
【００１９】
ジベレリン溶液の溶媒としては、例えば、水道水、蒸留水、イオン交換水等の水；エタノール等のアルコール等が挙げられ、これらを単独で又は２種以上を混合して使用することができる。当該濃度としては、接触させる植物の種類等により多少異なるが、優れた植物の生長促進効果を得る観点、及び、経済性の観点から、好ましくは、１０〜５００ｐｐｍであり、より好ましくは、１０〜２００ｐｐｍである。
【００２０】
ジベレリン溶液の調製は、例えば、ジベレリンと溶媒とを混合することにより行うことができる。その際、所望によりその他の成分を添加してもよい。例えば、植物への付着性を高める観点等から、植物にとって安全である展着剤等を添加してもよい。ここで、接触工程削減の観点から、サイトカイニン溶液中にジベレリンを添加して、ジベレリン溶液の接触工程とサイトカイニン溶液の接触工程を同時に行うのが好ましい。
【００２１】
ジベレリン溶液の接触工程は、植物の生長を促進させる観点、さらには、植物の生長を促進させることによりサイトカイニンによる形態変化を改善する観点から、植物の春化前後、及び／又は育成期に行うのが好ましい。なお、植物の春化前にジベレリン溶液の接触工程を行うことにより、植物の春化も促進することができる。例えば、メキシコマンネングサの春化時期は、近畿地方においては通常、３月中旬頃であるが、ジベレリンを添加したサイトカイニン溶液を２月初旬頃に接触させた場合、ジベレリンの濃度によって差はあるが、３月初旬頃に春化が起こる。接触回数については、接触させる植物の種類、ジベレリン溶液の濃度等にもよるが、通常、１〜２回の接触で十分である。
【００２２】
本明細書において「植物にジベレリン溶液を接触させる」とは、上述したサイトカイニン溶液の場合と同様、例えば、ジベレリン溶液を植物に対して、噴霧、塗布、又は、植物をジベレリン溶液に対し浸漬することをいうが、植物に対してジベレリン溶液を接触させ得る操作であれば特に限定されるものではない。
【００２３】
ここで、接触工程では、植物の生長を促進させる観点、さらには、植物の生長を促進させることによりサイトカイニンによる形態変化を改善する観点から、ジベレリン溶液を、植物地上部全体、特に花茎に接触させるのが好ましい。また、ジベレリン溶液の接触工程を行った後、３〜４日間は、雨に晒されない状態にあることが好ましい。
【００２４】
なお、上述したように、植物にジベレリン溶液を接触させるのではなく、植物が栽培される土壌に、ジベレリン溶液を投与して、植物が土壌中からジベレリン溶液を吸収する態様とすることもできる。また、土壌にジベレリン溶液を投与する工程と、上記接触工程とを組み合わせて行ってもよい。
【００２５】
また、サイトカイニン溶液及びジベレリン溶液には、必要に応じて、他の任意成分を添加することも可能である。この任意成分としては、肥料成分、成長調整剤が挙げられ、これらを単独で又は２種以上を混合して添加することが可能である。
【００２６】
肥料成分としては、例えば、硝酸アンモニウム、硫酸アンモニム、塩化アンモニウム等のアンモニア態窒素、尿素等の尿素態窒素等の窒素源；硫酸カリウム、硝酸カリウム、塩化カリウム等のカリウム源；リン酸第一アンモニウム、リン酸第ニアンモニウム、リン酸第一カリウム、リン酸第ニカリウム等のリン源等が挙げられる。これらの成分は、サイトカイニン溶液を噴霧した場合には、葉面に付着して葉から吸収されることから、葉色の発色に効果がある。また、これらの成分を添加したサイトカイニン溶液を、春化を過ぎた成長期に散布した場合、散布位置に養分が集積して葉肥効果が得られ、根の負担軽減と、開花期を長期化に寄与する。
【００２７】
成長調整剤としては、例えば、エチレン、オーキシン、ＥＤＴＡ等のキレート鉄源、糖類、ビタミン類等が挙げられる。これらの成分は、花芽形成に養分を奪われた葉の成長調整、成長促進と、クロロフィルの活性化を助長して、光合成の促進に寄与することにより、花芽形成に必要な養分として作用する。
【００２８】
上記の任意成分を添加した場合、任意成分も葉茎部に付着するが、その後の散水等により、地面に移動して根部への栄養補給としても期待できる。
【００２９】
なお、育成培土、育成場所、給水等の条件は、本願発明の目的を損なわない範囲であれば、特に限定されるものではない。
【００３０】
本発明の植生方法は、上述したように、植物にサイトカイニン溶液を接触させることにより、開花期の長期化を図り、緑化状態を継続的に維持させ、さらには、観賞価値を長期間にわたって維持させるものであるので、建築物の壁面だけでなく、建築物の屋上面等の様々な態様に適用することができる。また、開花を終えた花茎が枯死した後、他の葉茎部が生長して新たな花茎が形成されるが、この新たに花茎が形成される植物に、サイトカイニン溶液を接触させることにより、同様の効果を得ることができる。
【００３１】
なお、サイトカイニン溶液を接触させる植物として、コーラルカーペット等を用いた場合、葉茎部が赤く紅葉するという現象が起こる。この現象は、ジベレリン溶液を接触させることで、より顕著に現れる。
【実施例】
【００３２】
以下に実施例を示し、本発明を具体的に説明するが、本発明は下記実施例に制限されるものではない。
【００３３】
[実施例１〜２及び比較例１]
平成１６年１月下旬、１０Ｌポリプロピレン製容器に、下記に示す育成培土を８Ｌ入れ、各容器にメキシコマンネングサの苗を３株ずつ植え付けた。２週間経過後、発根が完了したことを確認した上で、下記の条件で育成を開始した。
【００３４】
（育成培土）
ボラ土：３０Ｌ、黒土：３０Ｌ、ピートモス：１５Ｌ、バーミキュライト：１０Ｌ、籾殻堆肥：１５Ｌ、遅効性肥料：０．１Ｌを混合したもの
（育成条件）
育成場所：ガラス温室内（上限温度３０℃、下限温度２０℃）
給水：週１回、５０ｍＬを補給
【００３５】
（接触工程）
同年２月１５日、表１に示す濃度となるように、イオン交換水に、サイトカイニン〔ホルクロルフェニュロン、協和発酵株式会社製、商品名：フルメット液剤〕、ジベレリン〔協和発酵株式会社製、商品名：ジベレリン協和〕を溶解させて、水溶液を調製した。次いで、得られた各水溶液を、５０ｇ／ｍ２の割合で、電動式噴霧器〔松下電器産業株式会社製、型番：ＢＨ−５９２〕を用いて、メキシコマンネングサの花茎を中心に噴霧した。
【００３６】
【表１】
2006067965.tif 000002
【００３７】
上記接触工程を行った実施例１〜２と、未処理の比較例１のメキシコマンネングサの開花日及び開花が終了した日における、草丈の伸長、花茎上部の茎幅及び植物の形態についての観察結果を表２に示す。
【００３８】
【表２】
2006067965.tif 000003
【００３９】
（草丈の伸長、花茎上部の茎幅）
表２に示すように、比較例１では、２月１５日から４月２０日（開花日）までに、草丈が５〜１０ｃｍ伸長したのに対し、サイトカイニン水溶液を接触させた実施例１では、２月１４日から４月２３日（開花日）までに、草丈が３〜５ｃｍしか伸長しなかった。一方、花茎上部の茎幅については、比較例１では殆ど変化がなく、開花日において、茎幅が約２ｍｍであったのに対し、実施例１では、花茎上部の茎幅は、３〜５ｍｍであり、約２ヶ月の間に約２〜３倍に生長した。
【００４０】
（植物の形態）
また、表２に示すように、開花日において、実施例１のメキシコマンネングサは、花茎上部に側芽が形成されて、「詰まった状態」であり、比較例１のメキシコマンネングサ本来の形態とは大きく異なっていた。具体的には、比較例１では、２〜５ｃｍの花茎上部に、２〜５ｍｍ間隔で葉が形成され、茎の節間数が１０程度であったのに対し、実施例１では、１〜３ｃｍの花茎上部に１〜３ｍｍ間隔で葉が形成され、この１０程度の茎の節間に側芽（葉芽及び花芽）が形成され、葉と側芽が密生して節間がほとんど詰まった状態であった。
【００４１】
（開花期間）
比較例１のメキシコマンネングサは、４月２０日に開花して、５月１９日にはその開花が終わり、開花期間は２９日であった。一方、実施例１のメキシコマンネングサは、４月２５日に開花して、７月２８日に開花が終了し、開花期間は９４日にも及んだ。従って、比較例１に比べて実施例１では、花のある景観がより長く維持され、鑑賞価値を長期間に渡って維持されたといえる。
【００４２】
（開花状況及び緑化状態）
比較例１のメキシコマンネングサは、花茎の頂部（頂花）のみが開花したのに対し、実施例１のメキシコマンネングサは、花茎の頂部（頂花）から下方に向けて順次開花が始まり、全体として開花期間が９４日にも及んだ。また、比較例１では、頂花の開花が終了して花茎が枯れた後、この枯れた花茎は、下方の他の葉茎部が生長するまでは、剥き出しの状態となって、緑化状態が継続的に維持されなかったが、実施例１では、花茎の開花期間が長期化するため、開花が終了して花茎が枯れた後も、この枯れた花茎は、下方から伸長してきた他の葉茎部に覆われて枯れた状態が目立つことなく、緑化状態を継続的に維持することができた。
【００４３】
（ジベレリン添加による効果）
上述したように、実施例１では、サイトカイニン水溶液を接触させることにより、本来（比較例１）、約２ヶ月で草丈が５〜１０ｃｍ伸長するのが、３〜５ｃｍしか伸長しなかった。しかしながら、表２に示すように、ジベレリンを添加した実施例２では、約２ヶ月で草丈は５〜８ｃｍ伸長した。
【００４４】
開花日において、実施例２のメキシコマンネングサは、３〜５ｃｍの花茎上部に、３〜５ｍｍ間隔で葉が形成され、この１０程度の茎の節間に側芽（葉芽及び花芽）が形成されて、「詰まった状態」であったが、実施例１のように節間がほとんど詰まった状態ではなかった。実施例２のメキシコマンネングサの開花期間、開花状況及び緑化状態については、実施例１とほぼ同様の結果であった。このことから、植物にジベレリンを接触させることにより、生長が促進され、サイトカイニンによる形態変化が改善されたといえる。